(57)【要約】【課題】容易にしかも効率良くクラゲを吸引、破砕して廃棄することができるクラゲ除去装置を提供する。【解決手段】吸い込み口であるフランジ部２６が水面付近に設置され水面付近を浮遊するクラゲを水とともに吸引し破砕して排出する吸引破砕装置２と、吸引破砕装置２を駆動する駆動モータ３とを備えたクラゲ除去装置１において、吸引破砕装置２に設けられフランジ部２６からクラゲを水とともに吸引するプロペラ１３と、プロペラ１３の吸い込み側に設けられ吸引破砕装置２に吸引されたクラゲを破砕する第１の破砕刃１４と第２の破砕刃１５とは同一の推進回転軸１１に設けられ、フランジ部２６と第１の破砕刃１４と第２の破砕刃１５とプロペラ１３と破砕したクラゲを排出する排出口であるフランジ部２７とは直線上に設けられており、推進回転軸１１は駆動モータ３とかさ歯車１６，１９によって噛合し駆動される。【選択図】図１
2012011924.tif 000002
【特許請求の範囲】
【請求項１】
吸い込み口が水面付近に設置され水面付近を浮遊するクラゲを水とともに吸引し破砕して排出口から排出する吸引破砕装置と、吸引破砕装置を駆動する回転式駆動装置とを備えたクラゲ除去装置において、
回転軸に、吸引破砕装置に設けられ吸い込み口からクラゲを水とともに吸引するプロペラと、プロペラの吸い込み側に設けられ吸引破砕装置に吸引されたクラゲを破砕する破砕刃とが設けられ、前記回転軸は、回転式駆動装置とかさ歯車などの動力伝達方向変換装置によって噛合し、吸い込み口と破砕刃とプロペラと排出口とは直線上に設けられ、漁船で運搬可能であることを特徴とするクラゲ除去装置。
【発明の詳細な説明】
【技術分野】
【０００１】
本発明は、クラゲ除去装置に関し、たとえば定置網の内部に侵入した多量のクラゲを破砕して定置網から除去することができる技術に関する。
【背景技術】
【０００２】
従来から海中を回遊するクラゲが定置網に侵入して漁業被害が発生している。定置網に入り込んだ多量のクラゲを除去する作業は人手によって行われており、数時間を費やすことがあり網揚げの作業効率が大幅に低下する。さらに網揚げ時間が長くなると、定置網に入った魚がクラゲに押し潰されて傷ついたり窒息状態となって弱ってしまう。
【０００３】
このような課題を解決するために特許文献１には、海面を浮遊するクラゲを魚と分離して吸引、破砕して除去するクラゲ除去装置が記載されている。クラゲ除去装置は、クラゲを吸引する場所の水面に配置されるポンプ搭載用フロートと、ポンプ搭載用フロートに搭載されて回転駆動された際に水面付近を浮遊するクラゲを水とともに吸い込んで破砕し送出する吸引破砕ポンプと、吸引破砕ポンプとともにポンプ搭載用フロートに搭載されて吸引破砕ポンプを駆動するタービンと、船上または地上に設置されてエンジンで駆動される送水ポンプと、送水ポンプの吐出口をタービンの入水ポートに接続する送水管とを備えタービンに加圧された水を供給する送水装置と、吸引破砕ポンプの排出口に一端が接続され他端が破砕されたクラゲの廃棄場所に開口した排出管とを備えている。送水ポンプで加圧された水をタービンに供給することによってタービンの回転軸を回転させて吸引破砕ポンプを駆動しクラゲを吸引、破砕して送出する。
【０００４】
特許文献２には、淡水または海水に含まれるクラゲ等の海生物を回収する装置が記載されている。海水は水路に導入される。水路の底面には気泡噴出孔を備えた気泡発生装置が設置されており、海水が気泡発生装置によって無数の気泡に曝され、クラゲ等の海生物は泡の浮上力を受け水面に浮上する。水面に浮上したクラゲ等の海生物は回収装置で回収される。
【先行技術文献】
【特許文献】
【０００５】
【特許文献１】特開２００８−２９６１１０公報
【特許文献２】特開２００３−４７９５５公報
【発明の概要】
【発明が解決しようとする課題】
【０００６】
特許文献１に記載されるクラゲ除去装置は、吸引破砕ポンプの軸心上にタービンの軸心が設置されており、クラゲは吸引破砕ポンプの鉛直下方に開口した吸い込み口から海水とともに吸引されて破砕され、海水を吸引する方向と直交する水平方向に開口した排出口から排出されるので流路抵抗が大きい。
【０００７】
特許文献２に記載される装置では、定置網の底部に気泡発生装置を沈めて固定する必要があるため、クラゲの除去を行う際の準備作業に時間が掛かる。また定置網内部の各所に点在するクラゲを気泡により上昇させて除去するためには、定置網内部の全域に亘って気泡を発生させる必要があるので、定置網の底部に多数の気泡発生装置を設置し、または定置網の底部に設置した気泡発生装置を移動させて広範囲で気泡を発生させることになり手間が掛かる。
【０００８】
本発明の目的はこのような課題を解決するもので、容易にしかも効率良くクラゲを吸引、破砕して廃棄することができるクラゲ除去装置を提供することである。
【課題を解決するための手段】
【０００９】
この課題を解決するために本発明は、吸い込み口が水面付近に設置され水面付近を浮遊するクラゲを水とともに吸引し破砕して排出口から排出する吸引破砕装置と、吸引破砕装置を駆動する回転式駆動装置とを備えたクラゲ除去装置において、回転軸に、吸引破砕装置に設けられ吸い込み口からクラゲを水とともに吸引するプロペラと、プロペラの吸い込み側に設けられ吸引破砕装置に吸引されたクラゲを破砕する破砕刃とが設けられ、前記回転軸は、回転式駆動装置とかさ歯車などの動力伝達方向変換装置によって噛合し、吸い込み口と破砕刃とプロペラと排出口とは直線上に設けられ、漁船で運搬可能であることを特徴とするものである。
【発明の効果】
【００１０】
請求項１記載の発明によれば、回転軸に、吸引破砕装置に設けられ吸い込み口からクラゲを水とともに吸引するプロペラと、プロペラの吸い込み側に設けられ吸引破砕装置に吸引されたクラゲを破砕する破砕刃とが設けられ、前記回転軸は、回転式駆動装置とかさ歯車などの動力伝達方向変換装置によって噛合し、吸い込み口と破砕刃とプロペラと排出口とは直線上に設けられ、漁船で運搬可能であるので、クラゲを鉛直下方から吸引して水平方向に排出するものに比べて流路抵抗が小さく、さらにクラゲは吸い込み側の破砕刃で細かく破砕された状態でプロペラを通過するのでプロペラがクラゲから受ける抵抗は小さくなり、容易にしかも効率良くクラゲを吸引、破砕して廃棄することができる。
【図面の簡単な説明】
【００１１】
【図１】クラゲ除去装置１の正面図である。
【図２】クラゲ除去装置１のＡ矢視図である。
【図３】吸引破砕装置２に駆動モータ３を取り付けた状態の断面図である。
【図４】第１の破砕刃１４を軸心方向から見た図である。
【図５】第２の破砕刃１５を軸心方向から見た図である。
【図６】第２の破砕刃１５の斜視図である。
【図７】防護カバー６の正面図である。
【図８】防護カバー６の底面図である。
【図９】クラゲ除去装置１を漁船に積載した状態を示す外観図である。
【図１０】クラゲ除去装置１を水面に設置した状態を示す外観図である。
【発明を実施するための形態】
【００１２】
以下、本発明の一実施形態について図１〜図１０に基づいて説明する。図１は、クラゲ除去装置１の正面図である。図２は、クラゲ除去装置１のＡ矢視図である。図３は、吸引破砕装置２に駆動モータ３を取り付けた状態の断面図である。図４は、第１の破砕刃１４を軸心方向から見た図である。図５は、第２の破砕刃１５を軸心方向から見た図である。図６は、第２の破砕刃１５の斜視図である。図７は、防護カバー６の正面図である。図８は、防護カバー６の底面図である。図９は、クラゲ除去装置１を漁船に積載した状態を示す外観図である。図１０は、クラゲ除去装置１を水面に設置した状態を示す外観図である。
【００１３】
クラゲ除去装置１は、水面付近に浮遊しているクラゲ４１を吸引して破砕し排出する吸引破砕装置２と、吸引破砕装置２を駆動する駆動モータ３と、吸引破砕装置２で破砕されたクラゲ４１を海水とともに網４４の外まで搬出する排水管４と、吸引破砕装置２を水面付近に保持するフロート５と、吸引破砕装置２の吸い込み側に取り付けられる防護カバー６と、防護カバー６内部のクラゲに向かって高圧の水を噴出する送水管７とを備える。
【００１４】
吸引破砕装置２は、軸心１０が鉛直方向に向いた推進回転軸１１を備える。推進回転軸１１は、水密にシールされた状態でケーシング１２に回転自在に支持されており、推進回転軸１１の排出側端部には銅合金製のプロペラ１３が取り付けられ、吸い込み側端部にはクラゲ４１を破砕する第１の破砕刃１４と第２の破砕刃１５とが取り付けられる。第１の破砕刃１４と第２の破砕刃１５とはステンレス製である。両端にプロペラ１３と第１の破砕刃１４および第２の破砕刃１５とを備えた推進回転軸１１にはかさ歯車１６が取り付けられ、駆動モータ３の駆動力が推進回転軸１１に伝達される。
【００１５】
ケーシング１２に支持され両端部にプロペラ１３と第１の破砕刃１４および第２の破砕刃１５とを備えた推進回転軸１１は、ダクト２５に収容される。アルミ板で形成され略円筒形であるダクト２５の両端開口部にはフランジ部２６，２７が各々形成される。ダクト２５は、外面が後述するシャフトケース１８の鍔部９に当接した状態でシャフトケース１８にねじ止めされる。
【００１６】
駆動モータ３は回転軸１７が水平方向に向いた状態で回転軸１７を収容するシャフトケース１８の端面８に取り付けられる。回転軸１７の端部には、かさ歯車１６と噛合するかさ歯車１９が取り付けられ、シャフトケース１８はケーシング１２に水密にシールされた状態で固定される。シャフトケース１８の軸受２０が設けられるフランジ部４２の取り付け面、駆動モータ３の取り付け面８、およびケーシング１２に取り付けられる取り付け面４３は、不図示のパッキンによって水密にシールされている。駆動モータ３として油圧モータが用いられ、漁船３２が停留している状態でエンジンと連結した油圧ポンプを駆動して油圧が送られる。なお駆動モータ３とシャフトケース１８とは、錆の発生を防ぐためにステンレス製のカバー３４，３５で覆われている。
【００１７】
吸引破砕装置２に吸い込まれたクラゲ４１は、第１の破砕刃１４と第２の破砕刃１５とで破砕される。推進回転軸１１の吸い込み側に取り付けられる第１の破砕刃１４は、軸心１０から放射状に９０°の間隔をあけて４箇所設けられた平板部２１の端部において、軸心１０の半径方向に形成される。クラゲ４１は第１の破砕刃１４によって、予め水流に対して前後方向に大まかに分断される。
第１の破砕刃１４の排出側に設けられる第２の破砕刃１５は、第１の破砕刃１４を支持するブラケット２４と一体に形成された第１支持部２２に溶接される。第１支持部２２は、軸心１０から放射状に４５°の間隔をあけて８箇所設けられており、第２の破砕刃１５は、各第１支持部２２の半径方向に４箇所並んだ状態で合計３２箇所溶接され、円柱の先端が鋭角に形成された鉛筆状である。なお、第２の破砕刃１５は、軸心１０の円周方向から不規則に多少傾いた状態で溶接される。第１支持部２２の排出側には、たとえば４０ｍｍ程度の間隔をあけて各々第２支持部２３が設けられており、第１支持部２２と第２支持部２３との間には線径の異なる複数の丸棒３７が軸心１０方向から不規則に多少傾いた状態で溶接固定される。
【００１８】
ダクト２５の吸い込み側にはステンレス製の防護カバー６が取り付けられる。防護カバー６は、吸い込み側である水中に向かって拡径した円筒形である。吸い込み側端面２９には点検口３０が設けられており、点検口３０を開けてダクト２５の内部に設置された第１の破砕刃１４および第２の破砕刃１５の状態を確認することができる。排出側端面にはフランジ部２８が設けられており、フランジ部２８を介してダクト２５に接続される。吸い込み側端面２９と排出側端面のフランジ部２８とは側面に溶接固定される複数の丸棒３８で連結される。側面の円周方向にも丸棒３９が複数溶接されて防護カバー６の側面に長方形の網目が形成される。
【００１９】
ダクト２５の吸い込み側開口部の周囲には、ラグビーボール状のフロート５がダクト２５挟むようにして２箇所設置され、クラゲ除去装置１に浮力を与える。フロート５の設置位置が不図示の油圧シリンダまたはジャッキによって変更されてクラゲ除去装置１の設置深さが調整される。
【００２０】
防護カバー６の側面を形成する丸棒３８，３９の外側にはステンレス製の送水管７が巻かれており、送水管７の表面には防護カバー６の内部に向かって高圧の水を噴出するための不図示の噴出孔が複数箇所に設けられる。送水管７から噴出する水は、エンジン駆動されるポンプによって、たとえば５０ｋｇ／ｃｍ２に加圧される。
【００２１】
ダクト２５の排出側フランジ部２７には、吸引破砕装置２で破砕したクラゲ４１を海水とともに定置網の外部に廃棄するために排水ホース４（たとえばクラレ製クリーンフレキＮＷ型  呼び径３００）が連結される。クラレ製クリーンフレキＮＷ型は、ポリプロピレンで成形されており錆の発生がなく、軽量で伸縮性、屈曲性に優れており約１／３に長さに縮めて保管することができるので、クラゲ除去装置１の収納時の高さを１．５ｍ以下とすることができ、保管、運搬に有利である。ダクト２５の排出側フランジ部２７には付属のフランジ継手がねじ止めされ、排水ホース４は該フランジ継手に差し込まれてホースバンドで固定される。
【００２２】
クラゲ除去装置１は、フロート５と排水ホース４と駆動モータ３に接続するホースとを含めた重量が約８０ｋｇであり、図９に示すようなクレーンが搭載された小型の漁船３２に積載して運搬可能である。ダクト２５にはアイボルト３３が取り付けられており、クラゲ除去装置１は水面に設置される姿勢で吊り上げられ防護カバー６の端面２９を接地させて、水面に設置する姿勢で保管、運搬することができる。
【００２３】
ここでクラゲ除去装置１の動作について説明する。クラゲ除去装置１は、漁船３２で定置網が設置される場所まで運搬された後、クレーンのフックをダクト２５のアイボルト３３に掛けて船上から降ろされ水面に設置される。ダクト２５の周囲に設置されたフロート５が適当な位置にない場合には、不図示の油圧シリンダまたはジャッキによってフロート５の位置を変えてクラゲ除去装置１の深さ調整がされる。
【００２４】
駆動モータ３に油圧が供給されると吸引破砕装置２の推進回転軸１１が回転する。推進回転軸１１の排出側に設けたプロペラ１３の回転によって海水が防護カバー６の内部に吸引されるが、同時に海水を浮遊するクラゲ４１も防護カバー６の内部に吸引される。防護カバー６の内部に吸引されたクラゲ４１は、吸引破砕装置２に吸引される前に送水管７から防護カバー６内部に噴出する高圧の水に曝される。クラゲ４１は胴体の周縁部が中心部に比べて柔らかいので、胴体を残した周縁部が水圧で潰されて吸引破砕装置２に送られる。
【００２５】
ダクト２５の内部に吸引されたクラゲ４１は第１の破砕刃１４によって分断されるが、第１の破砕刃１４は推進回転軸１１の軸心１０を中心として９０°の間隔をもって放射状に４箇所設けられており、クラゲ４１は中心部を含めて適当な大きさに破砕された状態で第２の破砕刃に送られる。破砕刃１４を４箇所よりも少なくすると、クラゲ４１は比較的大きい塊のまま通過し、あるいは破砕されずに通過することになる。また破砕刃１４を４箇所よりも多く設置すると、プロペラ１３で海水を吸引するときに第１の破砕刃１４の抵抗が大きくなり、あるいは第１の破砕刃１４の吸い込み側でクラゲ４１が滞留することになる。
【００２６】
第１の破砕刃１４で適当な大きさに破砕されたクラゲ４１は第２の破砕刃１５に送られる。円柱の先端が鋭角に形成された鉛筆状の第２の破砕刃１５は、軸心１０の円周方向から不規則に多少傾いた状態で複数個所設けられており、さらに第２の破砕刃１５の排出側に隣接して線径の異なる複数の丸棒３７が軸心１０方向から不規則に多少傾いた状態で設けられているので、第１の破砕刃１４で適当な大きさに破砕されたクラゲ４１が第２の破砕刃１５を通過するときに、第２の破砕刃１５がクラゲ４１を突き刺して細かく破砕する。第２の破砕刃１５の先端は鉛筆状に尖っており不規則に傾いているのでクラゲ４１を排出側に逃がすことなく確実に突き刺すことができる。第２の破砕刃１５で破砕されたクラゲ４１は、排出側に設けられた複数の丸棒３７によってさらに細かく破砕される。
【００２７】
第１支持部２２および第２支持部２３は放射状に８箇所設けられるが、第１支持部２２および第２支持部２３を８箇所よりも少なくすると、クラゲ４１は第２の破砕刃１５が突き刺すことなく排出側に運ばれ、また第１支持部２２および第２支持部２３を８箇所よりも多く設置するとプロペラ１３で海水を吸引するときに第１支持部２２および第２支持部２３の抵抗が大きくなり、また第１の破砕刃１４で破砕されたクラゲ４１が第１支持部２２の吸い込み側で滞留することになる。
【００２８】
さらに、海水を吸引する概ね円筒形のダクト２５は海水を鉛直下方から吸引して鉛直上方に直線状に排出するので、鉛直下方から吸引して水平方向に排出するものに比べて流路抵抗が小さく、また第１の破砕刃１４と第２の破砕刃１５とが吸い込み側に設置され、プロペラ１３が排出側に設置されているので、クラゲ４１は細かく破砕された状態でプロペラ１３を通過するのでプロペラ１３が受ける抵抗は小さくなる。
【００２９】
このように、吸い込み口であるフランジ部２６が水面付近に設置され水面付近を浮遊するクラゲ４１を水とともに吸引し破砕して排出口から排出する吸引破砕装置２と、吸引破砕装置２を駆動する回転式駆動装置である駆動モータ３とを備えたクラゲ除去装置１において、回転軸である推進回転軸１１に、吸引破砕装置２に設けられフランジ部２６からクラゲ４１を水とともに吸引するプロペラ１３と、プロペラ１３の吸い込み側に設けられ吸引破砕装置２に吸引されたクラゲ４１を破砕する第１の破砕刃１４および第２の破砕刃１５破砕刃とが設けられ、前記推進回転軸１１は、駆動モータ３とかさ歯車１６，１９などの動力伝達方向変換装置によって噛合し、フランジ部２６と第１の破砕刃１４および第２の破砕刃１５とプロペラ１３と排出口であるフランジ部２７とは直線上に設けられ、漁船３２で運搬可能であるので、クラゲ４１を鉛直下方から吸引して水平方向に排出するものに比べて流路抵抗が小さく、クラゲ４１は吸い込み側の第１の破砕刃１４と第２の破砕刃１５とによって細かく破砕された状態でプロペラ１３を通過するのでプロペラ１３がクラゲ４１から受ける抵抗は小さくなり、容易にしかも効率良くクラゲ４１を吸引、破砕して廃棄することができる。
【符号の説明】
【００３０】
１    クラゲ除去装置
２    吸引破砕装置
３    駆動モータ
４    排水ホース
５    フロート
６    防護カバー
７    送水管
８，２９    端面    
９    鍔部
１０    軸心
１１    推進回転軸
１２    ケーシング
１３    プロペラ
１４    第１の破砕刃
１５    第２の破砕刃
１６，１９    かさ歯車
１７    回転軸
１８    シャフトケース
２０    軸受
２１    平板部
２２    支持棒
２４    ブラケット
２５    ダクト
２６，２７，２８，４２    フランジ部
３０    点検口
３１    連結棒
３２    漁船
３３    アイボルト
３４，３５    カバー
３７，３８，３９    丸棒
４０    吸い込み側開口部
４１    クラゲ
４３    取り付け面
４４    網
【図１】
2012011924.tif 000003
【図２】
2012011924.tif 000004
【図３】
2012011924.tif 000005
【図４】
2012011924.tif 000006
【図５】
2012011924.tif 000007
【図６】
2012011924.tif 000008
【図７】
2012011924.tif 000009
【図８】
2012011924.tif 000010
【図９】
2012011924.tif 000011
【図１０】
2012011924.tif 000012